(57)【特許請求の範囲】
【請求項１】
測定者の体重を測定する体重測定手段と、
測定者の生体インピーダンスを測定する生体インピーダンス測定手段と、
測定者のユーザ登録をするユーザ登録手段と、
前記登録した登録ユーザの体重と生体インピーダンスをユーザ情報として取得するユーザ情報取得手段と、
前記ユーザ情報として取得した体重に対する前記測定した体重の増減量、及び、前記ユーザ情報として取得した生体インピーダンスに対する前記測定した生体インピーダンスの増減量が、それぞれ体重と生体インピーダンスについての許容範囲内である登録ユーザを認識候補として特定する認識候補特定手段と、
前記特定した認識候補がいる場合に当該認識候補のうちの１を測定者と認識し、認識候補がいない場合にゲストを測定者として認識する認識手段と、を備え、
前記認識候補特定手段は、前記体重の増減量と生体インピーダンスの増減量がそれぞれ許容範囲内である登録ユーザがいない場合、体重について広げた許容範囲、生体インピーダンスについて狭めた許容範囲で再度認識候補の特定を行う、
ことを特徴とする生体情報測定装置。
【請求項２】
前記体重についての許容範囲と前記生体インピーダンスについての許容範囲は、増加した場合と減少した場合の許容範囲が同じである、
ことを特徴とする請求項１に記載の生体情報測定装置。
【請求項３】
前記体重についての許容範囲と前記生体インピーダンスについての許容範囲は、増加した場合の許容範囲が減少した場合の許容範囲よりも広い、
ことを特徴とする請求項１に記載の生体情報測定装置。
【請求項４】
前記認識候補特定手段は、前記許容範囲を変更して行う再度の認識候補の特定を複数回行う、
ことを特徴とする請求項１、請求項２又は、請求項３に記載の生体情報測定装置。
【請求項５】
前記認識手段は、前記特定した認識候補が複数である場合、前記ユーザ情報として取得した生体インピーダンスが前記測定した生体インピーダンスに最も近い認識候補を測定者として認識する、
ことを特徴とする請求項１から請求項４のうちのいずれか１の請求項に記載の生体情報測定装置。
【発明の詳細な説明】
【技術分野】
【０００１】
本発明は、体重や体組成等の生体情報を測定する生体情報測定装置に係り、詳細には、測定者を識別する技術に関する。
【背景技術】
【０００２】
自己の健康や体調の管理等を目的として体重を測定することが従来から行われている。近年では体重に加えて生体インピーダンスを測定し、その値から体脂肪率や基礎代謝等の各種体組成も算出する生体情報測定装置が存在している。このような生体情報測定装置では、各種体組成を算出するために測定者の身長や性別等の基礎情報が必要になることから、例えば家庭内における複数人が測定するような場合を想定し、各ユーザ毎に基礎情報を予め登録できるようになっている。
ユーザ登録が可能な生体情報測定装置の場合、予め登録された各ユーザの中から測定者を認識する必要がある。
特許文献１では、許容範囲を設定することで、生体情報測定値のある程度のバラツキを許容しながら測定者を識別する技術について記載されている。
【０００３】
生体情報測定装置では、登録済みユーザの体重及び生体インピーダンスと、今回の測定値とを比較することで、今回の測定者が登録済みユーザなのか、又は、未登録のゲストなのかを識別している。
そして、特許文献１記載技術では、測定者を識別するためのばらつきの許容値は一定値に規定されている。
しかし、体重については、例えば、食事の前後やジムなどでの運動前後、食生活の乱れ等によって大きく変化する場合が考えられる。このような場合には所定の許容範囲を外れてしまい、測定者を正確に識別できず、ゲストと誤判定してしまう可能性があった。
【先行技術文献】
【特許文献】
【０００４】
【特許文献１】特開平１１−０７６１７７号公報
【発明の概要】
【発明が解決しようとする課題】
【０００５】
本発明は、登録済みユーザの急激な体重変化に対して、ゲストであるとの誤認識をより少なくすることを目的とする。
【課題を解決するための手段】
【０００６】
（１）請求項１に記載の発明では、測定者の体重を測定する体重測定手段と、測定者の生体インピーダンスを測定する生体インピーダンス測定手段と、測定者のユーザ登録をするユーザ登録手段と、前記登録した登録ユーザの体重と生体インピーダンスをユーザ情報として取得するユーザ情報取得手段と、前記ユーザ情報として取得した体重に対する前記測定した体重の増減量、及び、前記ユーザ情報として取得した生体インピーダンスに対する前記測定した生体インピーダンスの増減量が、それぞれ体重と生体インピーダンスについての許容範囲内である登録ユーザを認識候補として特定する認識候補特定手段と、前記特定した認識候補がいる場合に当該認識候補のうちの１を測定者と認識し、認識候補がいない場合にゲストを測定者として認識する認識手段と、を備え、前記認識候補特定手段は、前記体重の増減量と生体インピーダンスの増減量がそれぞれ許容範囲内である登録ユーザがいない場合、体重について広げた許容範囲、生体インピーダンスについて狭めた許容範囲で再度認識候補の特定を行う、ことを特徴とする生体情報測定装置を提供する。
（２）請求項２に記載の発明では、前記体重についての許容範囲と前記生体インピーダンスについての許容範囲は、増加した場合と減少した場合の許容範囲が同じである、ことを特徴とする請求項１に記載の生体情報測定装置を提供する。
（３）請求項３に記載の発明では、前記体重についての許容範囲と前記生体インピーダンスについての許容範囲は、増加した場合の許容範囲が減少した場合の許容範囲よりも広い、ことを特徴とする請求項１に記載の生体情報測定装置を提供する。
（４）請求項４に記載の発明では、前記認識候補特定手段は、前記許容範囲を変更して行う再度の認識候補の特定を複数回行う、ことを特徴とする請求項１、請求項２又は、請求項３に記載の生体情報測定装置を提供する。
（５）請求項５に記載の発明では、前記認識手段は、前記特定した認識候補が複数である場合、前記ユーザ情報として取得した生体インピーダンスが前記測定した生体インピーダンスに最も近い認識候補を測定者として認識する、ことを特徴とする請求項１から請求項４のうちのいずれか１の請求項に記載の生体情報測定装置を提供する。
【発明の効果】
【０００７】
本発明によれば、登録済みユーザの急激な体重変化に対して、ゲストであるとの誤認識をより少なくすることができる。
【図面の簡単な説明】
【０００８】
【図１】生体情報測定装置の外観構成図である。
【図２】生体情報測定装置の機能ブロック図である。
【図３】ユーザ情報記憶部、測定結果履歴データの記憶データの内容を概念的に表した説明図である。
【図４】表示部の表示画面の詳細を表した説明図である。
【図５】測定処理動作の全体を表したフローチャートである。
【図６】測定者識別処理の詳細について表したフローチャートである。
【図７】変形例における許容範囲テーブルの保存内容を表した説明図である。
【発明を実施するための形態】
【０００９】
以下、本発明の生体情報測定装置における好適な実施の形態について、図１から図７を参照して詳細に説明する。
（１）実施形態の概要
本実施形態の生体情報測定装置では、登録ユーザのユーザ情報としての体重、生体インピーダンス（Ｂｉｏｅｌｅｃｔｒｉｃａｌ  Ｉｍｐｅｄａｎｃｅ）に対する、今回測定した体重、生体インピーダンス（ＢＩ）の増減量（差分）が、それぞれの許容範囲内であるか否かにより、測定者が登録ユーザかゲストかについての測定者判定を行う。
本実施形態では、この測定者判定において登録ユーザであると判定されなかった場合、直ちにゲストとするのではなく、許容範囲を変更した上で、再度の測定者判定処理（再判定処理）を行う。
再判定処理で使用する許容範囲については、最初の測定者判定で使用した許容範囲に比べ、体重の許容範囲を広くし、生体インピーダンスの許容範囲を狭くする。
本実施形態の再判定処理は１回であるが、複数回行うようにしてもよい。２回目以降の再判定処理では、前回の再判定処理で使用した体重の許容範囲を更に広げ、生体インピーダンスの許容範囲を更に狭くする。
【００１０】
このように、最初の測定者判定処理で使用される基準的な許容範囲では登録ユーザと判定がなされないような、大幅な体重変化があった場合でも、生体インピーダンスの値はあまり変化しないことを利用し、再度の測定者判定処理では体重変化の許容値を広げることによって、大幅に増減した体重を識別許容範囲内とすることができる。
また、再度の測定者判定処理における生体インピーダンスの許容範囲を狭くすることで、体重変化の許容値を広げたことによりゲストを登録ユーザと誤認してしまう可能性を減少させることができる。
【００１１】
（２）実施形態の詳細
図１は本実施形態が適用される生体情報測定装置の外観構成を表したもので、（ａ）は平面図、（ｂ）は正面図、（ｃ）は背面図である。
図１（ａ）に示されるように、本実施形態の生体情報測定装置１は装置本体１０を備えており、装置本体１０の上面には、表示部１１、足の配置に合わせた左右上下の４カ所に測定用電極１２、操作部１３が配置されている。
装置本体１０の裏側には、図１（ａ）で点線で示され、図１（ｂ）、（ｃ）に示されるように、４隅に重量センサ１５Ｌｆ、１５Ｌｂ、１５Ｒｆ、１５Ｒｂが配設され、更に、装置本体１０の前側の両隅にはプッシュスイッチ１６Ｌ、１６Ｒが配置されている。
また、図１（ｂ）に示すように、装置本体１０の後方側面に電源スイッチ１４が配設されている。
【００１２】
装置本体１０は、被測定者が乗る面が平らな筐体である。
装置本体１０の内部には、図示しない電子回路、電源、電源保持部などが設けられている。
【００１３】
表示部１１は、液晶ディスプレイで構成されている。
本実施形態の表示部１１は、セグメント方式が採用されているが、ドットマトリクス方式の液晶ディスプレイを採用することも可能である。
表示部１１は、ユーザ登録の際に入力される入力情報や、体重や体脂肪率等の測定結果等が表示されるようになっている。
表示部１１の各表示項目と表示領域については後述する。
【００１４】
測定用電極１２Ｌｆ、１２Ｌｂ、１２Ｒｆ、１２Ｒｂは、装置本体１０に乗った被測定者の生体インピーダンスを測定するためのものであり、前後左右の合計４つが配設されている。
測定用電極１２Ｌｆ、１２Ｌｂ、１２Ｒｆ、１２Ｒｂにより、各電極間の抵抗値が測定されることで、測定者の生体インピーダンスが算出されるようになっている。
実際には、１の電極から高周波の微弱定電流が印加され、他の１の電極で電圧降下分が測定され、この電圧降下分から両電極間の抵抗値が測定される。
【００１５】
測定用電極１２Ｌｆ、１２Ｌｂ、１２Ｒｆ、１２Ｒｂは、その配置箇所により、左右に対するＬ、Ｒ、及び、前後に対するｆ、ｂの添え字により区別して表示している。
測定に際して測定者は、左右の両足について、土踏まずを挟んだつま先側と踵側のそれぞれの箇所を、各測定用電極１２Ｌｆ、１２Ｌｂ、１２Ｒｆ、１２Ｒｂ上に乗せる。
なお、以下の説明では、測定用電極を指定する場合の符号として、前後は問わず左右のいずれかを指定する場合には１２Ｌ、１２Ｒと表記し、左右は問わず前後のいずれかを指定する場合には１２ｆ、１２ｂと表記し、前後左右のいずれも問わずに測定用電極のいずれか１つ又は全体を指定する場合には１２と表記することとする。
この添字の表記については、重量センサ１５Ｌｆ、１５Ｌｂ、１５Ｒｆ、１５Ｒｂ、プッシュスイッチ１６Ｌ、Ｒについても同様である。
【００１６】
操作部１３は、上キー１３ａ、下キー１３ｂ、クリアキー１３ｃ、設定キー１３ｄを備えている。
上下キー１３ａ、１３ｂは、設定項目が無い表示画面において他の画面に遷移させ、設定項目がある表示画面において設定項目の内容（数値、項目）を変化させるためのキーである。
クリアキー１３ｃは、表示中の各項目、値をクリアして１つ前の画面に戻るためのキーである。
設定キー１３ｄは、設定項目がある表示画面において設定された項目を確定させ、次の設定項目、次の表示画面に遷移させるためのキーである。
この操作部１３の各キー操作により、各ユーザ（測定者）毎の基礎情報（身長、性別、生年月日）の入力、ユーザの選択、各種モードの選択等の各種選択が行われる。
【００１７】
生体情報測定装置１は、測定完了後、操作部１３の無操作状態が所定時間（例えば１分）経過すると省電力状態に移行し、表示部１１の液晶ディスプレイがオフ状態となるように構成されている。この省電力状態において、操作部１３のいずれかのキーが押下されると、省電力状態が解除されキャリブレーションが開始されるように構成されている。
【００１８】
電源スイッチ１４は、電源から表示装置１１や後述する制御部等の各部に対するすべての電源供給を切断するスイッチである。
【００１９】
重量センサ１５Ｌｆ、１５Ｌｂ、１５Ｒｆ、１５Ｒｂは、生体情報測定装置１に乗った測定者の体重を測定するためのセンサであり、本実施形態では４つのロードセルにより構成されている。
各重量センサ１５からは、測定者の重量値に対応する物理量がそれぞれ出力され、各出力値に基づいて測定者の体重が算出されるようになっている。
重量センサ１５の各検出値から算出された測定者の体重は、当該測定者に対して登録された基礎情報と共に、体組成であるＢＭＩ（Ｂｏｄｙ  Ｍａｓｓ  Ｉｎｄｅｘ）と基礎代謝の算出に使用される。また、測定者の体重は、測定用電極１２の検出値から算出された生体インピーダンス、及び基礎情報と共に、体組成である体脂肪率、内蔵脂肪レベル（率）、身体年齢、骨レベル、骨格筋レベル、水分量が算出される。
【００２０】
各重量センサ１５は、測定の際に加わる荷重を１０ｇ単位で測定する。
なお、本実施形態では、後述する測定結果履歴への保存、及び体脂肪率等の生体情報の算出には、１０ｇ単位で算出された体重が使用され、表示装置１１には四捨五入された１００ｇ単位で表示されるが、すべて１０ｇ単位とし、またすべて１００ｇ単位とすることも可能である。
但し、以下の説明では簡略化するため、保存、算出、表示において１００ｇ単位である場合について説明することとする。
【００２１】
プッシュスイッチ１６Ｌ、１６Ｒは、装置本体１０の裏側、前方の左右２カ所に配設されており、測定者が生体情報測定装置１に乗ったこと（ステップオン）を検出するスイッチである。
生体情報測定装置１が省電力状態にある場合において、プッシュスイッチ１６によりステップオンが検出されると、省電力状態から復帰し測定が開始される。
なお、本実施形態の生体情報測定装置１では、２つのプッシュスイッチ１６Ｌ、１６Ｒが前方左右に配置される場合について説明するが、後方左右に配置するようにしてもよく、また前後左右の４カ所に配置するようにしてもよい。
【００２２】
重量センサ１５、測定用電極１２、及び、プッシュスイッチ１６は、いずれも測定時刻を検出する測定時刻検出手段の一部として機能することが可能である。本実施形態では、全てを測定時刻検出手段の一部として機能している。
すなわち、本実施形態では生体情報測定装置１に足を乗せたこと（測定の開始）を重量センサ１５、測定用電極１２、プッシュスイッチ１６で検出し、その検出時の時刻を測定時刻として検出する。
なお、測定時刻は同一規準であれば良く、測定開始時刻以外に、体重と生体インピーダンスの測定が完了した時刻や、生体情報測定装置１から降りた時刻などを採用することが可能である。
測定時刻については、後述する日時情報計測部３３から出力される時刻による。
【００２３】
図２は、生体情報測定装置１の機能ブロックを表したものである。
生体情報測定装置１は、測定結果に基づく生体情報の算出とその表示制御、測定結果履歴への保存、入力操作に対応する制御等の装置全体を各種制御する制御部２０を備えている。
この制御部２０には、表示部１１、操作部１３、プッシュスイッチ１６、Ａ／Ｄ変換部３１、３２、日時情報計測部３３、通信部３４、音声出力部３５、記憶装置として機能する不揮発メモリ４０が接続されている。
【００２４】
Ａ／Ｄ変換部３１は、各重量センサ１５から入力されるアナログの検出値を、それぞれデジタル値に変換して制御部２０に供給する。
Ａ／Ｄ変換部３２は、各測定用電極１２から入力されるアナログの検出値を、それぞれデジタル値に変換して制御部２０に供給する。
【００２５】
日時情報計測部３３は、日時情報として現在の日時を年月日時分秒の単位で計測する測定時刻検出手段の一部として機能し、計測した日時情報を制御部２０に供給する。日時情報については所定タイミング毎に供給するようにしてもよく、制御部２０からの要求に応じて供給するようにしてもよい。
【００２６】
通信部３４は、生体情報測定装置１による各種測定結果を外部に出力するための出力手段として機能している。
通信部３４による測定結果は、本実施形態では無線により出力されるようになっているが、有線により出力するようにしてもよい。
有線による場合の例としては、例えば、ＵＳＢメモリ等の各種記憶媒体への出力、各種ケーブルを介してのパソコンや携帯端末等の外部機器への出力が可能である。
通信部３４による無線通信による測定結果の出力方法として、ブルートゥース（Ｂｌｕｅｔｏｏｔｈ（登録商標）、赤外線通信、ＮＦＣ（登録商標）、ＺｉｇＢｅｅ（登録商標）、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（登録商標））、Ｗｉ−Ｆｉ（Ｗｉｒｅｌｅｓｓ  Ｆｉｄｅｌｉｔｙ（登録商標））等の近距離無線通信、３Ｇ方式、４Ｇ方式等の各種無線通信が使用可能である。
本実施形態の通信部３４では、これら有線、無線による各種通信のうち、１または複数の方式によるデータの入出力が可能に構成される。
【００２７】
音声出力部３５は、入力操作時において各入力操作画面に対応した操作案内用のガイダンス音声を出力し、また、測定完了後のビープ音を出力する出力装置である。
音声出力部３５による音声や音については、デフォルトの設定として出力するオン設定になっているが、ユーザ操作によりオフ設定に変更することが可能である。なお、デフォルトの設定を逆にしてもよい。
【００２８】
不揮発メモリ４０は、各種データを保存する記憶媒体で構成され、ユーザ情報記憶部４１、測定結果履歴データ４２、許容範囲テーブル４３、その他のデータが記憶されている。
図３は、ユーザ情報記憶部４１、測定結果履歴データ４２、許容範囲テーブル４３の記憶データの内容を概念的に表したものである。
図３（ａ）に示すように、ユーザ情報記憶部４１には、各ユーザ（測定者）毎の基礎情報として、ユーザ番号、性別、身長、年齢特定情報、体重、生体インピーダンス（ＢＩ）が保存される。
なお、図３において、生体インピーダンス（Ｂｉｏｅｌｅｃｔｒｉｃａｌ  Ｉｍｐｅｄａｎｃｅ）はＢＩで表記している。他の図面についても同様に表記する。
年齢特定情報は、測定時におけるユーザの年齢を算出可能な情報であればよく、登録時のユーザの年齢と登録日、生年月日等が該当する。
【００２９】
ユーザ情報に保存されている体重と生体インピーダンス（ＢＩ）は、今回の測定値（体重とＢＩ）との差分（今回測定値の増減量）を求めることで測定者を認識する測定者認識処理において使用される。
このユーザ情報としての体重とＢＩは、ユーザ情報登録時に測定した値が登録される。
【００３０】
但し、このユーザ情報としての体重とＢＩは各ユーザ毎に変化する値であるため、定期的に（例えば、１ヶ月毎、半年毎、１年毎）に更新することが好ましい。
また、各登録ユーザ毎に、測定履歴に保存した最新の測定履歴によりユーザ情報の体重とＢＩを自動的に更新するようにしてもよい。
更に、過去所定回数（複数回）、又は、所定期間（例えば、２週間、１ヶ月、３ヶ月）内における各登録ユーザ毎の測定履歴の平均値をユーザ情報の体重とＢＩとして自動更新するようにしてもよい。
なお、ユーザ情報としての体重とＢＩについては、ユーザ情報記憶部４１に保存する必要はなく、測定結果履歴データ４２に各登録ユーザ毎に保存される測定履歴をユーザ情報として保存するようにしてもよい。
【００３１】
測定結果履歴データ４２は、登録された各ユーザのユーザ番号毎にユーザ１履歴４２１、ユーザ２履歴４２２、…が保存される。
測定結果履歴データ４２の各ユーザ履歴は、図３（ｂ）に示すように、体重（ｋｇ）、生体インピーダンス（Ω）、測定日時（年月日時分）が保存される。
【００３２】
本実施形態では、ユーザ登録可能な数が４である場合について説明しているが、５人家族を想定した５人等、測定者の認識が必要な複数であれば登録可能な人数は何人でも可能であり、無制限とすることも可能である。
また、測定結果履歴データ４２に保存する測定履歴の数は、各登録ユーザ毎に最低１件ずつ最新のデータを保存すれば足りるが、その数については任意であり、本実施形態では、統計等に使用するために最大５件の測定履歴が保存される。
また、測定日時は、各測定値から得られる生体情報に基づいて各登録ユーザの健康管理用のデータとして使用する場合、例えば、体重や体脂肪率等の経時変化をグラフ化して表示する等の場合に必要な情報として保存するが、検出及び保存をしないようにしてもよい。特に、測定履歴として最新の１件だけ保存する場合には測定日時を保存しないようにしてもよい。
【００３３】
また、許容範囲テーブル４３は、図３（ｃ）に示すように、測定者識別処理で使用する許容範囲を規定する値として、体重許容値（体重増減の許容値）とＢＩ許容値（ＢＩ増減の許容値）が保存されている。
許容範囲テーブル４３には、体重許容値とＢＩ許容値について、最初の処理で使用する基準値と、再度の測定者判定処理（再判定処理）において使用する再処理値とが保存されている。
この図３（ｃ）に示すように、許容範囲の両基準値として、体重許容値±２．０ｋｇ、ＢＩ許容値±１００Ωが規定され、この値は従来から使用されている一般的な範囲を規定する値である。
一方、許容範囲の両再処理値として、体重許容値±５．０ｋｇ、ＢＩ許容値±５０Ωが規定されている。
なお、体重許容値とＢＩ許容値は、それぞれ＋側が増加側の許容値で、−側が減少側の許容値である。
【００３４】
このように、体重許容値は、最初の処理における体重許容範囲よりも、再判定処理における体重許容範囲のほうが広くなるような値（絶対値が大きい値）が規定されている。
一方、ＢＩ許容値は、最初の処理におけるＢＩ許容範囲よりも、再判定処理におけるＢＩ許容範囲のほうが狭くなるような値（絶対値が小さい値）が規定されている。
これにより、標準的な値である基準値を使用した最初の処理では登録ユーザの認識候補が存在しない場合であっても、短期間における変化幅が大きい体重の許容範囲を広げる一方で変化幅が少ないＢＩの許容範囲を狭めることで再度処理を行うことで、ゲストであるとの誤認識を少なくすることができる。
【００３５】
なお、本実施形態では、体重とＢＩの基準値と再処理値を許容範囲テーブル４３に保存しておき、後述する測定者識別処理において許容範囲テーブル４３から読み込むことで取得するようにしているが、体重とＢＩの基準値と再処理値については測定者識別処理を実行するためのプログラムにおいて規定しておき、この値を取得するように構成することも可能である。
この場合には、許容範囲テーブル４３は不要であり、読み込むための処理時間が不要になる。
但し、許容範囲テーブル４３に保存することで、保存値をデフォルト値として、ユーザがその値を変更できるようにしてもよい。体重については基準値＜再処理値、ＢＩについては基準値≧再処理値であることを変更の条件とする。
【００３６】
図４は、表示部１１の表示画面の詳細を表したものである。
図４は、測定終了後における、体重と体脂肪率を表した状態の表示画面である。
表示部１１は、測定結果を表示する出力手段として機能している。
図４に示すように表示部１１は、第１表示部１１１から第６表示部１１６までの、６カ所の表示領域で構成されている。
第１表示部１１１と第２表示部１１２は、測定結果や入力操作における入力値が表示される領域である。
測定結果が表示される場合、第１表示部１１１には体重が表示され、第２表示部１１２には算出された体組成の値が、所定時間（例えば、２秒）の経過ごとに順次切り替えられながら表示される。第２表示部１１２には、体脂肪率、ＢＭＩ、基礎代謝、骨格筋レベル、骨レベル、内臓脂肪レベル、水分量、身体年齢、体脂肪率の順に、順次表示される。第２表示部１１２において、これら体組成が順次切り替え表示されている間、第１表示部１１１には体重が継続的に表示される。
【００３７】
一方、入力操作において入力値が表示される場合、日時設定やユーザの生年月日設定の入力操作において、第１表示部１１１に年が、第２表示部１１２に月日が表示される。また、日時設定において、年月日の入力後において、第１表示部１１１に入力時刻（時、分）が表示される。
【００３８】
第１表示部１１１、第２表示部１１２は、測定値や入力値が表示されると共に、各表示内容に対応して、表示中項目の単位（ｋｇ、ｃｍ、％、Ｋｃａｌ）や、表示項目に対する補助文字（年、月、日、時、分、才、）が表示される。
図４では、測定後における測定結果として、体重（６１．３ｋｇ）と体脂肪率（１５．５％）が表示されている。
【００３９】
第３表示部１１３は、第２表示部１１２に表示されている各体組成が、標準値に対してどの程度離れているかをグラフ表示したものである。標準の３段階と、低い側の３段階、及び、高い側の３段階の合計９段階のレベル表示がされる。
【００４０】
第４表示部１１４は、第１表示部１１１と第２表示部１１２に表示中の項目の項目名が表示される。図４では、第１表示部１１１の表示に対する項目名「体重」が表示され、第２表示部１１２の表示に対する項目名「体脂肪率」が表示されている。
図４では表示されていないが、測定中において第４表示部１１４には「測定中」と表示される。
【００４１】
第５表示部１１５は、ユーザ番号と、性別が表示される。
第５表示部１１５に表示されるユーザ番号については、測定開始前にユーザが指定されている場合には指定されたユーザ番号が表示され、自動認識モードの場合には測定結果から自動認識したユーザ番号が表示される。
第５表示部１１５に表示される性別には、指定又は自動認識されたユーザ番号に対応して、ユーザ情報記憶部４１に保存されている性別が、図４に示されるように「男」又は、「女」として表示される。
【００４２】
第６表示部１１６は、生体情報測定装置１についての各種状態が表示される表示領域で、電池の残量表示、電波の受信状態等が表示される。
【００４３】
図２に戻り、制御部２０は、プログラムに従って各種演算処理を行うＣＰＵ、プログラムが保存されるＲＯＭ、作業領域としてのＲＡＭ等を備えている。
制御部２０は、各種記憶媒体に保存された測定処理プログラムに従って、生体情報の算出、表示、保存等の各処理を行うと共に、本実施形態における測定者識別処理を行う。これらの各処理をプログラムに従って行う機能ブロックとして、制御部２０は、体重算出部２１、生体インピーダンス算出部２２、乗降判定部２３、体組成演算部２４、測定者識別部２５、測定結果記憶制御部２６を備えている。
【００４４】
体重算出部２１は各重量センサ１５で検出され、Ａ／Ｄ変換部３１でデジタル信号に変換された各重量値から測定者の体重を算出する。具体的には、各重量値を合計することで測定者の体重が算出される。
体重算出部２１は、算出した測定者の体重を体組成演算部２４に供給する。
【００４５】
生体インピーダンス算出部２２は、各測定用電極１２で検出され、Ａ／Ｄ変換部３２でデジタル信号に変換された測定用電極１２Ｌと測定用電極１２Ｒ間の抵抗値（左足−体−右足間の抵抗値）から、測定者の生体インピーダンスを算出する。生体インピーダンスの算出については、公知の計算方法が採用され、他の体組成についても公知の計算式や統計データにもとづいて算出される。
生体インピーダンス算出部２２は、算出した測定者の生体インピーダンスを体組成演算部２４に供給する。
【００４６】
乗降判定部２３は、プッシュスイッチ１６から供給される信号（スイッチのオン信号）に基づいて、測定者のステップオンを判定する。上述したように、省電力状態においてステップオンが検出されると、省電力状態が解除され測定が開始される。
【００４７】
体組成演算部２４は、体重算出部２１から供給される体重、生体インピーダンス算出部２２から供給される生体インピーダンス、及び、指定されたユーザ番号又は測定者識別部２５で識別されたユーザ番号に対応してユーザ情報記憶部４１に記録されたユーザ情報（性別、身長、生年月日から算出した年齢）を使用して、測定者の各体組成を算出する。
測定された体重、及び、算出された各体組成については表示部１１に表示される。
【００４８】
測定者識別部２５は、今回の測定により得られた測定結果（体重、ＢＩ）と、ユーザ情報記憶部４１に保存されているユーザ情報としての体重、ＢＩとを比較することで、測定者の識別、即ち、登録ユーザ（ユーザ番号）の特定、又は、ゲストであるとの特定を行う。
具体的には、体重、ＢＩについて、ユーザ情報に対する今回測定値の増減量（差分）が共に基準値で定まる許容範囲内である登録ユーザを認識候補とする。一方、認識候補がない場合、当該増減量が、基準値を再処理値に変更した許容範囲内である登録ユーザを認識候補とし、増減量が変更後の許容範囲内である登録ユーザがない場合に測定者がゲストであると認識する。
なお、認識対象となる登録ユーザが１人である場合には、増減量が基準値又は再処理値で定まる許容範囲内にある場合には直ちに登録ユーザであると認識する。
【００４９】
測定結果記憶制御部２６は、今回の測定結果（体重、生体インピーダンス）、及び測定時刻を、測定者識別部２５で識別した測定者のユーザ番号、又は、測定前に指定された測定者のユーザ番号に対応するユーザ履歴４２１〜４２４に保存する。
なお、ユーザ情報としての体重とＢＩについて説明したように、測定履歴によってユーザ情報を更新する変形例を採用する場合には、測定結果記憶制御部２６がユーザ情報更新手段として機能し、各登録ユーザ毎に、測定履歴に保存した最新の測定履歴によりユーザ情報の体重とＢＩを自動的に更新する。
【００５０】
次に、以上のように構成された生体情報測定装置１による測定処理の動作について説明する。
図５は、測定処理動作の全体を表したフローチャートである。
測定者の操作に対応して、制御部２０は測定モードの切り替えを行う（ステップ１０）。測定モードとしては、測定者を自動認識する自動認識モード、ユーザを指定して測定を行うユーザ指定モード、登録済みユーザ以外の測定者が測定するゲストモード、体重だけを測定する体重のみ測定モードなどの各種の測定モードが存在する。
測定モードは、測定者が操作部１３を操作することで選択され、制御部２０は選択された測定モードに切り替える。
なお、測定者によるモード選択が行われずに生体情報測定装置１に乗った場合、制御部２０はデフォルトのモードとして自動認識モードを選択する。
【００５１】
制御部２０は、切り替えた測定モードがゲストモードか否かを判断する（ステップ１１）。
ゲストモードであれば（ステップ１１；Ｙ）、制御部２０は、測定者によって操作部１３から入力されるゲスト情報（年齢、身長、性別）を取得してＲＡＭに記憶する（ステップ１２）。
この測定者によるゲスト情報の入力操作において、制御部２０は、表示部１１の必要な入力項目のガイダンス表示を行うと共に、入力されたゲスト情報を表示する。
【００５２】
ゲスト情報の入力後、又は、ゲストモードでない場合（ステップ１１；Ｎ）、制御部２０は、体重測定を行う（ステップ１３）。すなわち制御部２０は、４つの重量センサ１５からＡ／Ｄ変換部３１を介して供給される重量値を合計することで測定者の体重を算出する。
【００５３】
そして制御部２０は、体重測定が完了したか否かを判断する（ステップ１４）。
測定が完了していない場合（ステップ１４；Ｎ）、制御部２０は、測定エラーか否かを判断する（ステップ１５）。測定エラーである場合（ステップ１５；Ｙ）、制御部２０は、表示部１１の所定領域にエラー表示を行い（ステップ１６）、処理を終了する。
ここで、測定エラーと判断される場合として、例えば、測定者が片足だけのせた後に降りてしまった場合などがあり、この場合制御部２０は、４つの重量センサ１５からの重量値が供給される前に重量値がゼロになったこと等から測定エラーと判断する。
一方、測定エラーでなければ（ステップ１５；Ｎ）、制御部２０はステップ１３に戻り測定を継続する。
【００５４】
次に制御部２０は、ステップ１０で切り替えたモードが体重のみ測定モードか否かを判断し（ステップ１７）、体重のみ測定モードであれば（ステップ１７；Ｙ）、制御部２０は、測定した体重を表示部１１に表示し（ステップ１８）、処理を終了する。
【００５５】
なお、体重のみ測定モードである場合（ステップ；Ｙ）、測定結果を表示した後ステップ２２に移行することで、指定された又は自動認識した測定者（ユーザ）に対する測定履歴として測定した体重を保存するようにしても良い。
体重のみ測定モードで測定者の自動認識をする場合には、生体インピーダンスは判断対象から外して認識することになる。このため、自動認識の精度が下がる可能性があるので、必ず自動認識したユーザが正しいか否かを、表示部１１への確認表示と測定者の確認操作がされたことを条件に、測定履歴として保存するようにしてもよい。
【００５６】
一方、体重のみ測定モードでなければ（ステップ１７；Ｎ）、制御部２０は、生体インピーダンス（ＢＩ）を測定する（ステップ１９）。
すなわち、制御部２０は、測定用電極１２からＡ／Ｄ変換部３２を介して供給される各抵抗値から測定者の生体インピーダンスを算出する。
【００５７】
そして制御部２０は、生体インピーダンスの測定が完了したか否かを判断する（ステップ２０）。
測定が完了していない場合（ステップ２０；Ｎ）、制御部２０は、測定エラーか否かを判断する（ステップ２１）。測定エラーである場合（ステップ２１；Ｙ）、制御部２０は、ステップ１６に移行して表示部１１の所定領域にエラー表示を行い処理を終了する。測定エラーと判断される場合としては体重測定の場合と同様である。
一方、測定エラーでなければ（ステップ２１；Ｎ）、制御部２０はステップ１９に戻り測定を継続する。
【００５８】
次に制御部２０は、ステップ１０で切り替えたモードが自動認識モードであるか否かを判断する（ステップ２２）。
自動認識モードではない場合（ステップ２２；Ｎ）、すなわち、ユーザ指定モードとゲストモードである場合、制御部２０は自動認識の必要がないためステップ２６に移行する。
一方、自動認識モードである場合（ステップ２２；Ｙ）、制御部２０は、測定した体重、生体インピーダンスとその許容範囲を使用して測定者を自動で識別する測定者識別処理を行う（ステップ２３）。測定者識別処理の詳細については後述する。
【００５９】
測定者の識別が完了した後、制御部２０は測定者確定処理を行う（ステップ２４）。
すなわち、制御部２０は、自動認識した測定者に対応するユーザ番号を表示部１１の第５表示部１１５（図４参照）に表示する。測定者確認は、表示されたユーザ番号を確認し、合っている場合には設定キー１３ｄを押下し、間違っている場合には上キー１３ａか下キー１３ｂで表示されているユーザ番号を変更した後に設定キー１３ｄを押下することで測定者を確定させる。
制御部２０は、測定者が設定キー１３ｄを押した際に第５表示部１１５に表示しているユーザ番号から、測定者を確定させる。
なお、制御部２０は、自動識別した測定者（ユーザ番号）を第５表示部１１５に表示した後、所定時間内に操作部１３の操作がされない場合、及び、測定者が生体情報測定装置１から降りた場合には、表示中のユーザ番号の測定者に確定する。
【００６０】
制御部２０は、測定者が確定したか判断する（ステップ２５）。
測定者が確定しない場合（ステップ２５；Ｎ）、すなわち、クリアキー１３ｃが押下された場合、制御部２０は処理を終了する。
一方、測定者が確定した場合（ステップ２５；Ｙ）、及び、ユーザ指定モードである場合（ステップ２２；Ｎ）、制御部２０は、今回の測定結果を保存する（ステップ２６）。すなわち、制御部２０は、確定した測定者のユーザ番号に対応する測定結果履歴データ４２に、体重、生体インピーダンス、測定日時を保存する。
【００６１】
また制御部２０は、測定結果の保存と並行して、測定結果を表示部１１に表示し（ステップ２７）、処理を終了する。
測定結果の表示において、制御部２０は、図４に例示したように、測定した体重の値を第１表示部１１１に、体重と生体インピーダンス、ユーザ情報から算出した体脂肪率の値を第２表示部１１２に、体脂肪率のレベル表示を第３表示部１１３に表示する。
また、第４表示部１１４には、第１表示部１１１と第２表示部１１２に表示中の項目の項目名を表示し、第５表示部１１５には、確定した測定者のユーザ番号と性別が表示される。
なお、第２表示部１１２は、最初に体脂肪率の値が表示され、その後所定時間（本実施形態では２秒）毎に、体脂肪率、ＢＭＩ、基礎代謝、骨格筋レベル、骨レベル、内臓脂肪レベル、水分量、身体年齢、体脂肪率の順に、順次表示される。第２表示部１１２の切り替えに合わせて第３表示部１１３のレベル表示、と第４表示部１１４の項目名も切り替えて表示される。
第２表示部１１２に表示する、体脂肪率等の各体組成については、体重、生体インピーダンス、基礎情報から算出され、第三表示部１１３のレベル表示については当該表示項目の統計等から求めた標準値を規準に算出される。
【００６２】
次に、測定者識別処理（ステップ２３）の詳細について説明する。
本実施形態の測定者識別処理では、登録済み各ユーザのユーザ情報に保存されている各要素（体重、ＢＩ）に対する、今回の測定結果の各要素（体重、ＢＩ）の増減量が許容範囲内か否かを判断することで認識候補の特定を行う。
この増減量が許容範囲内か否かによる認識候補の特定は、最初に基準値で規定される許容範囲で判断し、範囲内となる該当登録ユーザがない場合（認識候補がいない場合）に、再処理値で規定される許容範囲で再度判断を行う。この２度の判断によっても許容範囲内となる登録ユーザがない場合に、測定者はゲストであると認識する。
【００６３】
登録ユーザ１だけを対象とする場合について具体例で説明すると次の通りである。この場合の登録ユーザ１は、複数登録可能であるが１人だけが登録している場合と、１人だけが登録可能である場合の両者を含む。
例えば、今回の測定結果は体重が６０．０ｋｇ、生体インピーダンス（ＢＩ）が５００Ωであり、ユーザ情報として登録されている体重が５７．０ｋｇ、ＢＩが５２０Ωであったものとする。
この場合、体重許容値（基準値）が±２．０ｋｇ、ＢＩ許容値（基準値）が±１００Ωであるため、今回測定結果に対する許容範囲は、ユーザ情報から体重が５５．０ｋｇ〜５９．０ｋｇ、ＢＩが４２０Ω〜６２０Ωとなる。
そして今回測定結果のＢＩ５００Ωは許容範囲内であるが、体重６０．０ｋｇが許容範囲外であるため、登録ユーザ１を測定者と認識することができない。
【００６４】
そこで、基準値から再処理値に変更した許容範囲を求めると、体重許容値（再処理値）が±５．０ｋｇ、ＢＩ許容値（再処理値）が±５０Ωであるため、今回測定結果に対する許容範囲は、ユーザ情報から体重が５２．０ｋｇ〜６２．０ｋｇ、ＢＩが４７０Ω〜５７０Ωとなる。
その結果、今回測定結果の体重６０．０ｋｇとＢＩ５００Ωは、共に許容範囲内であるため、登録ユーザ１を測定者と認識する。
このように、例えば、通常食事前に測定している登録ユーザ１が飲食後に測定したために体重が一時的に増加したとしても、ゲストであると誤認識することなく登録ユーザであると認識することができる。
【００６５】
図６は、第２実施形態における測定者識別処理の詳細について表したフローチャートである。
この図６のフローチャートで使用した各文字の意味は次の通りである。
Ｘ：ユーザ登録済のユーザ数
Ｗ：今回の測定結果（体重）
ＷＨ：ユーザＸのユーザ情報保存体重
ＷＲ：体重識別許容重量（体重許容値）
Ｉ：今回の測定結果（ＢＩ）
ＩＨ：ユーザＸのユーザ情報保存インピーダンス
ＩＲ：ＢＩ識別許容値（ＢＩ許容値）
【００６６】
制御部２０は、体重許容値ＷＲとＢＩ許容値ＩＲ（基準値）を取得する（ステップ３０）。
すなわち、制御部２０は、許容範囲テーブル４３からＷＲとＩＲの両基準値を読み込み、ＲＡＭの作業領域に保存する。
【００６７】
そして制御部２０は、ステップ３１〜３１−２のループを登録ユーザ数（Ｘ）だけ繰り返す。このループでは、各ユーザ情報（体重、ＢＩ）に対する今回の測定結果の増減量が、許容値の範囲であるか否かに基づいて、認識候補の特定が行われる。
【００６８】
制御部２０は、今回の測定結果（体重）Ｗが、ＷＨ±ＷＲ（ｋｇ）の範囲内か否かを判断する（ステップ３２）。
すなわち、制御部２０は、ユーザＸのユーザ情報保存体重ＷＨとユーザ情報保存インピーダンスＩＨをユーザ情報記憶部４１から読み出し、ユーザ情報保存体重ＷＨに体重識別許容重量ＷＲを加算した値と減算した値（ＷＨ±ＷＲ（ｋｇ））を求め、今回の測定結果（体重）Ｗが、求めた両値の範囲内（体重許容範囲内）であるか否かを判断する。
【００６９】
今回の測定結果（体重）Ｗが、体重許容範囲内である場合（ステップ３２；Ｙ）、制御部２０は、今回の測定結果（ＢＩ）Ｉが、ＩＨ±ＩＲ（Ω）の範囲内か否かを判断する（ステップ３３）。
すなわち、制御部２０は、当該ループ対象における登録ユーザＸのユーザ情報保存インピーダンスＩＨに、ＢＩ識別許容値ＩＲを加算した値と減算した値（ＩＨ±ＩＲ（Ω））を求め、今回の測定結果（ＢＩ）Ｉが、求めた両値の範囲内（ＢＩ許容範囲内）であるか否かを判断する。
【００７０】
なお、本実施形態では、今回の測定結果（体重）Ｗが、ＷＨ±ＷＲの範囲内か否かについて判断する場合（ステップ３２）について説明したが、この判断は、Ｗ−ＷＨの絶対値がＷＲ以下であるか否かを確認する判断である。
なお、本実施形態では、今回の測定結果（体重）Ｗが、ＷＨ±ＷＲの範囲内か否かについて判断する場合（ステップ３２）について説明したが、この判断は、ＷＨに対するＷの増減量が±ＷＲの範囲内か否かについての判断である。実施形態では、＋ＷＲの絶対値と−ＷＲの絶対値が等しいため、Ｗ−ＷＨの絶対値がＷＲ以下であるか否かを確認する判断となっている。
そこで、登録ユーザＸのユーザ情報保存体重ＷＨが、今回の測定結果（体重）Ｗに体重識別許容重量ＷＲを加減算した両値（Ｗ±ＷＲ）の範囲内にあるか否かを判断することで、ＷＨに対するＷの増減量が±ＷＲの範囲内か否かについて判断するようにしてもよい。
また、直接、ユーザＸのユーザ情報保存体重ＷＨに対する今回の測定結果（体重）Ｗの差分（増減量）を算出し、この差分が体重識別許容重量±ＷＲの範囲内であるか否かを判断するようにしてもよい。
更に、今回の測定結果（体重）ＷとユーザＸのユーザ情報保存体重ＷＨとの差分を算出し、この差分の絶対値が体重識別許容重量ＷＲ以下であるか否かにより判断するようにしてもよい。
以上の判断については、今回の測定結果（ＢＩ）Ｉが、ＩＨ±ＩＲの範囲内か否かについての判断（ステップ３３）についても同様に変形することが可能である。
【００７１】
今回の測定結果（ＢＩ）Ｉが、ＢＩ許容範囲内である場合（ステップ３３；Ｙ）、制御部２０は、当該判断中の登録ユーザＸを認識候補とし（ステップ３４）、次の登録ユーザについての判断を行う。
一方、今回の測定結果（体重）Ｗが体重許容範囲外である場合（ステップ３２；Ｎ）、及び、今回の測定結果（ＢＩ）ＩがＢＩ許容範囲外である場合（ステップ３３；Ｎ）にも、制御部２０は、当該登録ユーザＸは認識候補対象外とし、次の登録ユーザについての判断を行う。
【００７２】
全登録ユーザに対して、認識候補を抽出するステップ３１〜３１−２のループが終了すると、制御部２０は、登録ユーザのなかに認識候補がいるか否かを判断する（ステップ３５）。
認識候補がいない場合（ステップ３５；Ｎ）、制御部２０は、再判定処理済みか否かを判断する（ステップ３６）。すなわち、制御部２０は、終了したステップ３１〜３１−２のループが最初であるか否かを判断し、最初である場合に再判定処理済みでないと判断する。
【００７３】
再判定処理済みでない場合（ステップ３６；Ｎ）、制御部２０は、体重許容値ＷＲとＢＩ許容値ＩＲ（再処理値）を取得する（ステップ３７）。
すなわち、制御部２０は、許容範囲テーブル４３からＷＲとＩＲの両再処理値を読み込み、ＲＡＭの作業領域を更新する。
そして、制御部２０は、ステップ３１に移行し、再処理値に変更した後の許容範囲に基づいてステップ３１〜３１−２のループ（再判定処理）を行う。
【００７４】
なお、上述したように、基準値による許容範囲を使用して行ったステップ３１−３１−２のループにおいて、ステップ３３で許容範囲外（ステップ３３；Ｎ）となった登録ユーザについては、再処理値に変更しても許容範囲内になることは無いため、再判定処理の判断対象から除外するようにしてもよい。
【００７５】
再処理値に変更した後の許容範囲に基づいてステップ３１〜３１−２のループ（再判定処理）を全ての対象登録ユーザについて行った後、制御部２０は、認識候補がいるか否かを判断する（ステップ３５）。
認識候補がいない場合（ステップ３５；Ｎ）、制御部２０は、再判定処理済みか否かを判断する（ステップ３６）。
この場合、再判定処理済みであるため（ステップ３６；Ｙ）、制御部２０は、測定者をゲストであると認識し（ステップ３８）、メインルーチンにリターンする。
【００７６】
一方、認識候補がいると判断された場合（ステップ３５；Ｙ）、制御部２０は、測定者の特定を行う（ステップ３９）。
すなわち、認識候補数が１であれば、制御部２０は、当該認識候補を測定者に特定する。
一方、認識候補数が複数である場合、制御部２０は、各認識候補のユーザ情報保存インピーダンスＩＨが最も今回の測定結果（ＢＩ）Ｉに最も近い認識候補、すなわち、ＩＨ−Ｉの絶対値が最も小さい認識候補を測定者に特定する。
なお、ＩＨ−Ｉ（絶対値）が最小値である認識候補が複数ある場合には、更に、ユーザ情報保存体重ＷＨが最も今回の測定結果（体重）Ｗに近い認識候補、すなわち、ＷＨ−Ｗの絶対値が最も小さい認識候補を測定者に特定する。
【００７７】
このように、認識候補が複数いる場合に、体重ではなくて生体インピーダンスを優先して測定者を認識するのは次の理由による。
すなわち、体重は、食事の前後の測定タイミングや暴飲暴食の有無などの条件によって短期的な変化幅が大きいのに対し、生体インピーダンスは、このような条件によっては変化しにくい値であるためである。
【００７８】
以上説明したように本実施形態によれば、基準値で規定される許容範囲による測定者認識ではゲストと認識してしまうような大幅な体重変化があった場合でも、生体インピーダンスの値はあまり変化しないことを利用し、再度の測定者判定処理（再判定処理）において体重変化の許容範囲を広げることによって、大幅に増減した体重を許容範囲内とすることができる。
一方、再度の測定者判定処理（再判定処理）における生体インピーダンスの許容範囲を狭くすることで、体重変化の許容範囲を広げたことによりゲストを登録ユーザと誤認してしまう可能性を減少させることができる。
このように、本実施形態によれば、大幅な体重の変化があった場合であっても登録ユーザとゲストとをより精度よく認識することができる。
【００７９】
以上、本発明における各実施形態について説明したが、本発明は説明した実施形態や説明した変形例に限定されるものではなく、各請求項に記載した範囲において各種の変形を行うことが可能である。
例えば、説明した実施形態では、許容範囲を規定する基準値と再処理値として、±ｎのようにプラス側とマイナス側で均等の値を規定する場合について説明した。
図７に示すように、体重の再処理値を＋５．０ｋｇ、−３．０ｋｇというように、＋側と−側とで異なる値を採用するようにしてもよい。
【００８０】
図７の例では、体重の再処理値について＋側と−側とで異なる値を採用しているが、体重の基準値についても＋側と−側で異なる値を採用するようにしてもよい。
このように、体重についての基準値、又は／及び、再処理値を＋ｐ、−ｑというように異なる値を規定する場合、ｐ＞ｑであることが望ましい。これは、体重の急激な増加は有り得るが、体重の減少は緩やかであるためである。
また、体重だけで無く、ＢＩの基準値、又は／及び、再処理値についても同様に＋側と−側で異なる値を採用するようにしてもよい。
【００８１】
また説明した実施形態では、許容範囲を再処理値に変更した後の、ステップ３１〜３１−２のループは１回だけ行う場合について説明したが、再処理値の値として第１から第ｓ（ｓ＞２）の再処理値を規定しておき、ｓ回行うようにしてもよい。
この場合においても、体重の再処理値はｓが大きくなるほど許容範囲が広がる値とし、ＢＩの再処理値はｓが大きくなるほど許容範囲が狭くなるように規定する。
但し、ＢＩについては第２の再処理値〜は同一値としてもよい。
【００８２】
このように、ステップ３１〜３１−２のループを複数回行うことにより、よりゲストと判定しにくくすることができる。
但し、この要請は、ユーザの状況による場合があることから、ユーザによりｓの値を指定することができるようにしてもよい。
【符号の説明】
【００８３】
１  生体情報測定装置
１０  装置本体
１１  表示部
１２  測定用電極
１３  操作部
１３ａ  上キー
１３ｂ  下キー
１３ｃ  クリアキー
１３ｄ  設定キー
１４  電源スイッチ
１５  重量センサ
１６  プッシュスイッチ
３１、３２  Ａ／Ｄ変換部
３３  日時情報計測部
３４  通信部
３５  音声出力部
４０  不揮発メモリ
【図１】
0006333643.tif 000002
【図２】
0006333643.tif 000003
【図３】
0006333643.tif 000004
【図４】
0006333643.tif 000005
【図５】
0006333643.tif 000006
【図６】
0006333643.tif 000007
【図７】
0006333643.tif 000008